(57)【要約】【課題】移動、運搬、収納、据付け等の取り廻し操作を従来よりも容易かつ手軽に行うことのできる昇降式移動足場を提供する。【解決手段】本発明の昇降式移動足場１０は、車輪２３を備えた基台２０上に、複数段のフレーム３１（３１ａ，３１ｂ，３１ｃ）を積重してなる昇降部３０が設けられて、最上段のフレーム３１ａに作業床が設置されるとともに、前記昇降部３０の各段における上側と下側のフレーム３１同士がＸ字状のスライダクランク３２（３２ａ，３２ｂ）を介して折り畳み自在に連結された昇降式移動足場１０において、基台２０と昇降部３０とが連結具５０を介して分割自在に連結されたものである。昇降部３０の側面には移動用のキャスター６０が取り付けられる。【選択図】図６
2004162285.tif 000002
【特許請求の範囲】
【請求項１】
車輪を備えた基台上に、複数段のフレームを積重してなる昇降部が設けられて、最上段のフレームに作業床が設置されるとともに、前記昇降部の各段における上側と下側のフレーム同士がＸ字状のスライダクランクを介して折り畳み自在に連結された昇降式移動足場において、前記基台と昇降部とが分割自在に連結されたことを特徴とする昇降式移動足場。
【請求項２】
昇降部の一の側面に移動用のキャスターが取り付けられたことを特徴とする請求項１に記載の昇降式移動足場。
【請求項３】
昇降部が複数個のブロックに分割されるように形成され、各ブロックの一の側面に移動用のキャスターが取り付けられたことを特徴とする請求項１に記載の昇降式移動足場。
【請求項４】
基台に水準器が取り付けられたことを特徴とする請求項１に記載の昇降式移動足場。
【発明の詳細な説明】
【０００１】
【発明の属する技術分野】
本発明は、内装工事等に利用される昇降式の足場に関し、特に複数段のフレームを折り畳み可能にして運搬性や収納性を高めた昇降式移動足場に関する。
【０００２】
【従来の技術】
作業床を自在に昇降させることのできる足場として、従来より、図９に示すような昇降式移動足場９が知られている（例えば、特許文献１参照。）。
【０００３】
この昇降式移動足場９は、車輪９１を備えた基台９２の上に複数段のフレーム９３を積重して、その最上段に作業床９４と手摺９５を設置するものである。各段における上下のフレーム９３同士は、各フレーム９３の対向二辺に取り付けられたＸ字状のスライダクランク９６を介して昇降自在に連結される。スライダクランク９６は、交叉する２本の斜材の一端がそれぞれ上側と下側のフレーム９３に軸着され、他端がそれぞれ他側のフレーム９３の辺に沿って摺動しうるように取着される。
【０００４】
作業床９４を上昇させるときは、上側のフレーム９３を所定の高さまで持ち上げた後、下側のフレーム９３に軸着されたタラップ９７を立て起こし、タラップ９７の上端に上側のフレーム９３を載置して緊結する。また、作業床９４を下降させるときは、上側のフレーム９３とタラップ９７との緊結を解いてタラップ９７を内側に畳み込み、上側のフレーム９３を下降させて下側のフレーム９３に緊結する。
【０００５】
【特許文献１】
実公平６−３６１６７号公報
【０００６】
【発明が解決しようとする課題】
前記従来の昇降式移動足場は、作業床の昇降が自由であり、基台にも車輪が取り付けられていることから、床面の平坦な作業空間では極めて取り廻し性が良い。また、作業床を下降させて全高を小さくすることができるので、収納性にも優れている。
【０００７】
しかしながら、基台から作業床までの主要な構造材がボルト・ナットやピン等によって一体に連結されているので、全体としては相当の重量になる。そのため、床面に障害物があるような作業空間や階段では移動が困難になる。また、折り畳んだ状態でも全体としては相当に嵩張るので、運搬にはトラックを要し、その積み降ろしにも揚重機が必要になるという不便がある。
【０００８】
さらに、運搬性や移動性を重視した足場である以上、据付けのたびに基台の水平度を確保して足場を安定させる必要があるが、前記した昇降式移動足場は水平度の確保を容易にするような手段を特に備えていないので、据付けに時間がかかるという不便もある。
【０００９】
本発明は前記のような不便を解決すべくなされたもので、移動、運搬、収納、据付け等の取り廻し操作を従来よりも容易かつ手軽に行うことのできる昇降式移動足場を提供することを目的とする。
【００１０】
【課題を解決するための手段】
前記課題を解決するため、本発明の昇降式移動足場は、車輪を備えた基台上に、複数段のフレームを積重してなる昇降部が設けられて、最上段のフレームに作業床が設置されるとともに、前記昇降部の各段における上側と下側のフレーム同士がＸ字状のスライダクランクを介して折り畳み自在に連結された昇降式移動足場において、前記基台と昇降部とが分割自在に連結されたことを特徴とする。
【００１１】
また、本発明の昇降式移動足場は、前記昇降部の一の側面に移動用のキャスターが取り付けられたことを特徴とする。
【００１２】
また、本発明の昇降式移動足場は、前記昇降部が複数個のブロックに分割されるように形成され、各ブロックの一の側面に移動用のキャスターが取り付けられたことを特徴とする。
【００１３】
また、本発明の昇降式移動足場は、基台に水準器が取り付けられたことを特徴とする。
【００１４】
【発明の実施の形態】
以下、本発明の実施の形態について、図面を参照しつつ説明する。
【００１５】
図１〜図６は、本発明の実施の形態に係る昇降式移動足場の全体的な構成を示す側面図である。本発明の昇降式移動足場１０は、足場を据付けるための基台２０と、作業床を昇降させるための昇降部３０とを、分割可能に連結して構成される。図１及び図２は昇降部３０を伸長させた状態、図３及び図４は昇降部３０を折り畳んだ状態を示し、図５及び図６は基台２０と昇降部３０とを分割した状態を示す。また、図１、図３、図５は昇降式移動足場１０の長辺側の側面図であり、図２、図４、図６は短辺側の側面図である。また、図７は、前記基台２０の上面図である。なお、図面の複雑化を避けるため、各側面図においては、他辺側の側面図に表れる主要部材の一部を簡略的に表現している。
【００１６】
（基台）
基台２０は、平面視矩形の基台フレーム２１と、その四隅に配した支持脚２２とを、他の補強材とともに一体に接合して形成されている。各支持脚２２の下端には、ブレーキロック付きの車輪２３が取り付けられている。また、各支持脚２２の側面には、先端にジャッキベース２４を備えたアウトリガー２５が取り付けられ、各支持脚２２を軸として水平方向に回動しうるように保持されている。
【００１７】
この基台２０には、昇降部３０を連結するための連結具５０が取り付けられている。連結具５０は、基台フレーム２１の各長辺上に１箇所ずつと各短辺上に２箇所ずつ、合わせて６箇所に設けられている。この連結具５０を解除すると、図５及び図６に示すように、基台２０と昇降部３０とが分離され、それぞれを別々に運搬・収納することが可能になる。連結具５０の詳細な構造については後述する。
【００１８】
さらに、この基台２０にあっては、図７に示すように、例えば基台フレーム２１における一箇所の内隅に火打部材２６が接合され、この火打部材に水準器２７が取り付けられている。この水準器２７は、基台２０を作業床面上に据付ける際、基台２０の傾斜を調整するのに用いられる。なお、水準器２７は、この位置に限らず、適宜の見やすい位置に取り付けられればよい。
【００１９】
（昇降部）
昇降部３０は、平面視矩形のフレーム３１（３１ａ，３１ｂ，３１ｃ）を複数段（この例では３段）積重して、各段のフレーム３１の長辺同士をＸ字状のスライダクランク３２（３２ａ，３２ｂ）で連結することにより形成されている。この基本的な構造は、前記従来の昇降式移動足場９と同様で、フレームの積重段数も任意である。
【００２０】
各スライダクランク３２は、図１に示すように、中央部分でピン連結された２本の斜材３３，３３を有し、これら各斜材３３の一端がそれぞれ上側または下側のフレーム３１の長辺に軸着され、他端が他方のフレーム３１の長辺に沿って摺動しうるように取着されている。そして、２本の斜材３３の交叉角度を変えることにより、上下のフレーム間距離が伸縮する。図１の形態においては、下段のスライダクランク３２ａと上段のスライダクランク３２ｂとが左右方向にずれて配置され、図示中段のフレーム３１ｂに取着された斜材３３，３３の摺動端同士が干渉しないように設計されている。
【００２１】
この昇降部３０には、上昇させたフレーム３１を支持するためのタラップ３４が取り付けられている。図２に示すように、各タラップ３４は一対の側柱３５の中央部を横桟３６で連結した略Ｈ形の部材で、例示の形態においては、最下段のフレーム３１ａと中段のフレーム３１ｂの各短辺に取り付けられている。各タラップ３４は、取り付けられたフレーム３１の短辺を軸として回動しうるように保持され、上側のフレーム３１を上昇させた際にフレーム３１の内側から立て起こされて、その先端がそれぞれ上側のフレーム３１の短辺に緊結される。この緊結にも、前記基台２０に設けられた連結具５０と同じ連結具５０が利用される。
【００２２】
タラップ３４は、構造材として上部の荷重を支持するととともに、作業員が足場を登る際の梯子としても利用される。そのため、各タラップ３４の横桟３６と、各フレーム３１の短辺の中間部分には、滑り止めのためのノンスリップ材３７（図２参照）が貼着されている。
【００２３】
昇降部３０の最上部には、作業床や手摺が取り付けられる。例示の形態においては、最上段のフレーム３１ｃに、これと略同形状の作業床フレーム４１が複数本の連結材を介して一体に接合され、作業床フレーム４１の内側に床板支持材（図示せず）及び床板４２が取り付けられて作業床を構成している。作業床フレーム４１の四隅には手摺取付用のパイプ４３が接合されており、各パイプ４３に手摺柱４４が挿入されて蝶ボルト４５等により固定される。さらに、各手摺柱４４の間には手摺バー４６や巾木４７が取り付けられて手摺を構成する。これらの手摺構成部材は、作業現場で簡単に組立てや分解ができるように形成されている。
【００２４】
昇降部３０を折り畳む際には、各段ごとにタラップ３４と上側のフレーム３１との緊結を解き、タラップ３４をフレーム３１の内側に畳み込んで、上側のフレーム３１を下降させる。このとき、畳み込まれるタラップ３４同士がフレーム３１の内側でぶつかるのを防ぐため、各タラップ３４は、向かい側のタラップ３４と側柱３５の位置を互いにずらして、あるいは側柱３５の対向間隔を変えて取り付けられている。
【００２５】
また、この昇降部３０には、フレーム３１の昇降を容易にするために、スライダクランク３２の交叉角を縦長にする方向へ付勢するバネ部材３８（図１参照）が取り付けられている。例示の形態に係るバネ部材３８は引張力を発揮するコイルバネで、一端が各スライダクランク３２の下側の摺動端の近傍に取り付けられるとともに、他端が各スライダクランク３２の軸着端側に位置するフレーム３１の短辺に取り付けられている。
【００２６】
このバネ部材３８は、タラップ３４や連結具５０による拘束を解かれた上側のフレーム３１を上方へ持ち上げる作用をなす。バネ部材３８の引張力を適宜に設定することにより、昇降部３０を伸長させるときは、作業者が上側のフレーム３１を少し持ち上げるだけで、そのフレーム３１を最上位まで軽快に上昇させることができる。反対に昇降部３０を折り畳むときは、作業者が上側のフレーム３１を軽く引き下ろしながら、緩やかな速度で安全に下降させることができる。
【００２７】
昇降部３０を折り畳んだときには、図３及び図４に示すように、上下のフレーム３１同士が緊結される。この緊結にも、前記と同様の連結具５０が利用される。
【００２８】
さらに、本発明の昇降式移動足場１０は、昇降部３０が基台２０から分離可能な構造を有しているので、昇降部３０にも移動用のキャスター６０が取り付けられている。例示の形態においては、最下段のフレーム３１ａと作業床フレーム４１における同じ側の長辺の両端部に、小穴を開けたアングルピース（短く切った山形鋼片）がそれぞれ接合され、各アングルピースにボルト脚タイプの単輪キャスター６０が取り付けられている。これら４個のキャスター６０は、昇降部３０の一方の側面から最も外側に突出して同一平面をなすように配置されるが、スライダクランク３２の摺動端に干渉しない位置であれば、例示の形態と異なる位置に取り付けられても差し支えない。このキャスター６０を利用すれば、図６に示すように、折り畳まれた昇降部３０を９０度転倒させて自由に移動させることができる。
【００２９】
（連結具）
図８は本発明の昇降式移動足場１０に用いられる連結具５０を示す。この連結具５０は、前述のように、基台２０と昇降部３０との連結箇所、タラップ３４の先端とフレーム３１との緊結箇所、及び上下のフレーム３１同士の緊結箇所に、それぞれ取り付けられている。図８に示した部位は基台２０と昇降部３０との連結箇所である。この部位においては、基台フレーム２１の上面と、昇降部３０の最下段のフレーム３１ａの上面に、タラップ３４の側柱３５と同様の矩形断面を有する短柱２８，３９が接合されている。そして、これら各短柱２８，３９の先端と側柱３５の先端に、同じ構造の連結具５０が取り付けられている。
【００３０】
この連結具５０は、短柱２８，３９や側柱３５の先端に断面略円形のフレーム３１を緊結し得るように構成されており、短柱２８等の先端近傍に固定される基軸５１と、基軸５１に対して回動自在に取り付けられたレバー５２と、レバー５２に取り付けられた締付リンク５３とを備えている。そして、短柱２８等の先端近傍に設けられた受け部５４にフレーム３１を載置した状態で、受け部５４の背後に設けられたフック５５に締付リンク５３を掛止し、レバー５２を受け部５４とは反対の側に回動すると、締付リンク５３がフレーム３１を締め付ける。締付リンク５３は針金状のバネ鋼材からなり、フック５５に掛止される部分が略Ｕ字状に曲げられて、両端部がレバー５２の基軸５１からやや離れた位置に連結されている。受け部５４及び締付リンク５３の側面視形状は、緊結されるフレーム３１の断面形状に合わせて略円弧状に形成され、これらによってフレーム３１の外周面が強固に挟持される。
【００３１】
このような連結具５０を用いることにより、基台２０と昇降部３０との連結、タラップ３４の先端とフレーム３１との緊結、及び上下のフレーム３１同士の緊結を、簡単な操作で迅速かつ確実に行うことができる。この昇降式移動足場１０においては、各部の連結または緊結に用いる連結具５０が共通なので、製造面でも経済的である。
【００３２】
また、本発明の昇降式移動足場１０は、前記のような連結具５０を用いて、昇降部３０をさらに複数個のブロックに分割することも可能である。この場合は、分割された各ブロックの最上段のフレーム３１に前記のような短柱を接合して連結具５０を取り付け、この連結具５０に他のブロックの最下段のフレーム３１を緊結する。これにより、昇降部３０の高さを作業現場の状況に応じて積み増しすることができる。
【００３３】
なお、昇降部３０を分割可能とした場合には、各ブロックに移動用のキャスター６０を取り付けてもよい。これによれば、各ブロックを別々に運搬・収納することができるので、取り廻し性がさらに向上する。
【００３４】
【発明の効果】
本発明の昇降式移動足場は、基台と昇降部とが分割自在に連結されているので、分割によって各部分のサイズや重量を小さくすることにより、階段の移動、人力による搬送、小型車両への積み込みなどが容易になり、作業現場における取り廻し性が各段に向上する。昇降部に移動用のキャスターを取り付けた場合には、昇降部自体の取り廻し性が一層、向上する。
【００３５】
また、昇降部を複数個のブロックに分割できるようにした場合には、昇降部の高さを、作業現場の状況に応じて積み増しすることができる。
【００３６】
また、基台に水準器を取り付けることにより、据付け作業を容易にすることができる。
【図面の簡単な説明】
【図１】本発明の実施の形態に係る昇降式移動足場の長辺側側面図であって、昇降部を伸長させた状態を示す図である。
【図２】図１に示す昇降式移動足場の短辺側側面図である。
【図３】本発明の実施の形態に係る昇降式移動足場の長辺側側面図であって、昇降部を折り畳んだ状態を示す図である。
【図４】図３に示す昇降式移動足場の短辺側側面図である。
【図５】本発明の実施の形態に係る昇降式移動足場の長辺側側面図であって、基台と昇降部とを分割した状態を示す図である。
【図６】図５に示す昇降式移動足場の短辺側側面図である。
【図７】図５に示す基台の上面図である。
【図８】本発明の昇降式移動足場に用いられる連結具の斜視図である。
【図９】従来の昇降式移動足場の基本的な構成を示す側面図である。
【符号の説明】
１０    昇降式移動足場
２０    基台
２３    車輪
２７    水準器
３０    昇降部
３１    フレーム
３２    スライダクランク
５０    連結具
６０    キャスター
【図１】
2004162285.tif 000003
【図２】
2004162285.tif 000004
【図３】
2004162285.tif 000005
【図４】
2004162285.tif 000006
【図５】
2004162285.tif 000007
【図６】
2004162285.tif 000008
【図７】
2004162285.tif 000009
【図８】
2004162285.tif 000010
【図９】
2004162285.tif 000011